(57)【要約】【課題】強制分離機能を有する押圧スイッチを提供すること。【解決手段】電極装置の入力/出力端子を収容しかつ固定するための少なくとも１つの室を含み、前記各端子が固定接点およびその間に配置された一対の導電性ピラーを含んでいる基台と、収縮可能な引っ張りロッドおよびプレス端子は、上昇するために一対の導電性ピラーに連結されていることからなる収縮可能な引っ張りロッドと、  前記基台をカバーし、密封し、上方から延びているプレス・ロッドおよび端部に配置されている支持軸部分を有する上方ケーシングと、  支持軸部分に軸線方向に連結された端部と前記プレス・ロッドに連結された内壁とを有するアクチュエータと、前記上方ケーシングと前記アクチュエータとの間に配置された弾性ばねとからなる。【選択図】図１
0003115859.tif 000002
【実用新案登録請求の範囲】
【請求項１】
中空であり、開放した上部を有する基台であって、電極装置の入力/出力端子を収容しかつ固定するための少なくとも１つの室を含み、前記各端子が固定接点およびその間に配置された一対の導電性ピラーを含んでいる基台と、
上部にプレス・ロッドを有し、中間部分から横方向に延びており、少なくとも１つのプレス端子と結合されているアクチュエータ、および前記端子の両側に別々に配置されており、前記２つの固定接点に対応している可動な接点を有する収縮可能な引っ張りロッドであって、当該収縮可能な引っ張りロッドおよびプレス端子は、上昇するために一対の導電性ピラーに連結されていることからなる収縮可能な引っ張りロッドと、
前記基台をカバーし、密封し、上方から延びているプレス・ロッドおよび端部に配置されている支持軸部分を有する上方ケーシングと、
前記支持軸部分に軸線方向に連結された端部と前記プレス・ロッドに連結された内壁とを有するアクチュエータと、前記上方ケーシングと前記アクチュエータとの間に配置された弾性ばねとを有し、
前記アクチュエータが前記弾性ばねを圧縮するように押す場合、前記収縮可能な引っ張りロッドおよびそのプレス端子が前記２つの可動接点が両側で前記入力/出力端子の前記固定接点と接触し、電源と電気的に接続するまで下方に移動し、前記アクチュエータが解放される場合、前記弾性ばねの延長部が前記収縮可能な引っ張りロッドおよびそのプレス端子を上昇させ、前記２つの可動な接点は、前記入力/出力端子の前記固定接点から強制分離させられ、電源を切断することを特徴とする強制分離機能を有する押圧スイッチ。
【請求項２】
前記入力端子は、ワイヤ導電基台に連結されたその外側と、横方向に配置されたワイヤ穴とを有し、接続部材が、外部電源に接続するための前記ワイヤ穴に垂直方向に相互接続された接続穴を貫通し、前記出力端子の外側に配置された接続部分が、前記基台から延びており、前記室の底部の溝に配置された弾性部材を押すために垂直方向から延びている押圧部分を有することを特徴とする請求項１に記載の強制分離機能を有する押圧スイッチ。
【請求項３】
前記収縮可能な引っ張りロッドの前記アクチュエータおよび前記ブラケット・スタンドの底部は、空隙を含み、テノン部分がプレス端子の前記ブラケット溝を押し連結するために前記ブラケット・スタンドの上部に配置され、前記空隙およびテノン部分は、前記プレス端子に対応する位置に配置されたリブ溝を係止するためのリブを含むことを特徴とする請求項１に記載の強制分離機能を有する押圧スイッチ。
【請求項４】
前記プレス端子の外側と前記導電性ピラーとの間に配置された弧状ブラケットと、垂直移動によりその動作を変化する前記弧状ブラケットの可動端部とを有し、前記収縮可能な引っ張りロッドおよび前記プレス端子が臨界点を通過した後、前記曲率が、押圧力および弾性力を生じるために変化され、前記各可動接点は、電源を接続または切断するために両側で前記固定接点に緊密に接触するかまたは分離することを特徴とする請求項１に記載の強制分離機能を有する押圧スイッチ。
【請求項５】
前記導電性ピラーは、該導電性ピラーの上部に埋め込まれた金属固定プレートを含み、前記金属固定プレートおよび前記プレス端子の外側は、前記弧状ブラケットの両側から突出している前記テノン部分と係止するように固定溝を含むことを特徴とする請求項４に記載の押圧スイッチ。
【請求項６】
前記２つの導電性ピラーの間に設置され、垂直方向に交互に配置された付属弾性機構を含み、前記機構は、前記収縮可能な引っ張りロッドの両端に別々に配置された摺動部材に連結され、前記２つの摺動部材は、前記収縮可能な引っ張りロッドの前記ブラケット・スタンドの間に収容され、前記円錐形部材の傾斜側が前記２つの摺動部材によって押され、瞬間的に上方に移動するための運動エネルギーを生じ、前記２つの固定接点から前記２つの可動接点を分離する補助とするようにその内側から突出している一対の円錐形部材を有することを特徴とする請求項１に記載の強制分離機能を有する押圧スイッチ。
【請求項７】
前記ブラケット・スタンドは、前記ブラケット・スタンドの内縁に埋め込まれた金属固定スタンドを含み、前記付属弾性機構は、前記収縮可能なばねおよび前記２つの摺動部材のための活動空隙を画定するための密封カバーを有する前記室に連結されていることを特徴とする請求項６に記載の強制分離機能を有する押圧スイッチ。
【請求項８】
前記上方ケーシングは、その上に配置され、防塵カバーによってカバーされた貫通穴を含み、前記防塵カバーは、前記収縮可能な引っ張りロッドを延長するための穴を含むことを特徴とする請求項１に記載の強制分離機能を有する押圧スイッチ。
【請求項９】
前記アクチュエータは、前記アクチュエータの内壁に配置され、前記プレス・ロッドの上方のスロットに収容されたハンドル・フックを含むことを特徴とする請求項１に記載の強制分離機能を有する押圧スイッチ。
【請求項１０】
フリップ・ボタンによって前記アクチュエータの可動端と軸線方向に連結され、前記アクチュエータの内壁で延長されたばねを押す端部を有する係止装置と、他の端部から下方に延びるボタン・フックとを有し、前記フリップ・ボタンが回転されたとき、前記延長したばねが圧縮され、他端の前記ボタン・フックは、前記アクチュエータが前記上方ケーシングに掛けられ、後方にはねないように前記上方ケーシング上で垂直方向に配置される係止溝に深く延びていることを特徴とする請求項１に記載の強制分離機能を有する押圧スイッチ。
【考案の詳細な説明】
【技術分野】
【０００１】
本考案は、一般に押圧スイッチに関し、さらに詳細には、工具機械の使用のような電気機器の使用の安全性を保証するための強制分離機能を有する押圧スイッチに関する。
【背景技術】
【０００２】
電気接続のために設けられたスイッチが長年使用されてきた。スイッチは、電力を制御するために必要な装置である。スイッチを取り付けることによって、電源の連続的な使用によって生じる事故を防止するために必要に応じて電源を切断することができる。通常接続されている電源は、通常、電源を維持し、電力が必要でなくなったときに電力を切断する。したがって、全ての電気機器および製品は、スイッチを必要とし、スイッチの基本動作原理は、２つの電極を電気的に接続して、電力にアクセスするための回路を形成することである。２つの電極が接続されていない場合、電力は切断され、したがって電力にアクセスできない。
【０００３】
通常、スイッチは、電源の接続および切断を確実にし、安全を考慮する。例えば、漏電および誤配線は防止されなければならない。電気ドリル、電気ノコギリ、または電気グラインダのような工具機械は、それらの動作においてある危険性を含むが、したがって、これらの機械は、通常切断されている電源を使用する。要するに、機械が使用中でない場合、それらの電力は常時切断されたままである。このような構成は、それらが使用中でないとき、電源のない状態で機械が作動しないことを保証し、作業者の安全性を確保する。しかしながら、工具機械は、高電流または繰り返される接触によって高温が生じ、２つの接点が、溶融し、張り付く状態になり、したがって、工具機械への短絡を生じる。ほとんどの通常切断されている電源は、電気接触のための単一点を使用するので、したがって、張り付いた接点の端子は、互いに離れることができず、ユーザの安全性を危険にさらす。
【考案の開示】
【考案が解決しようとする課題】
【０００４】
したがって、強制分離機能を有する押圧スイッチ構造を改良する方法を見つけ出すこと、および高温の動作で張り付く接点、高電流、または繰り返される接触によって生じる工具機械の回路の短絡の問題を解決することは、即時的な喚起および実行可能な解決法を要求する。
【０００５】
従来技術の前述した観点において、本考案の考案者は、広範な調査および実験を行うためにスイッチおよび電気製品産業における長年の経験に基づいて、最終的に本考案による「強制分離機能を有する押圧スイッチ」を考案した。
【０００６】
本考案の主要な目的は、下記の強制分離機能を有する押圧スイッチを提供することである。即ち、押圧スイッチは、中空であり、開放した上部を有する基台であって、電極装置の入力/出力端子を収容しおよび固定するための少なくとも１つの室を含み、前記端子は、固定接点およびその間に配置された導電性ピラーを含む基台と、その上部にプレス・ロッド、中間部分から横方向に延びており、少なくとも１つのプレス端子と結合されている駆動プレートを有する引っ張りロッドであって、端子の両側が、前記２つの固定接点に別々に対応して配置されている可動な接点を有し、前記収縮可能な引っ張りロッドおよびプレス端子は、上昇および下降するために一対の導電性ピラーに連結されている収縮可能な引っ張りロッドと、前記基台をカバーし、密封し、プレス・ロッドを上方から突出させ、端部に配置されている支持軸部分を有する上方ケーシングと、前記支持軸部分に連結された端部および前記プレス・ロッドに連結された内壁とを有するアクチュエータと、前記上方ケーシングと前記アクチュエータとの間に配置された弾性ばねとを有する。したがって、アクチュエータが押されたとき、前記収縮可能な引っ張りロッドおよびそのプレス端子が前記２つの可動接点が両側で前記入力/出力端子の前記固定接点と接触し、電源と電気的に接続するまで収縮可能な引っ張りロッドとそのプレス端子を下方に移動させる。アクチュエータが解放される場合、前記弾性ばねが引っ張られ、収縮可能な引っ張りロッドおよびそのプレス端子を上昇させ、前記２つの可動な接点は、両側の前記固定接点の入力/出力端子から強制分離させられ、電源を切断する。
【０００７】
本考案の第２の目的は、下記の強制分離機能を有する押圧スイッチ構造を提供することであり、押圧スイッチは、前記プレス端子の外側と前記導電性ピラーとの間に配置された弧状ブラケットを含み、前記弧状ブラケットの可動端部は、横移動によりその動作を変化させ、収縮可能な引っ張りロッドおよび前記プレス端子が臨界点を通過した後、弧状ブラケットは、曲率を変化させ、弾性押圧力を生じ、電源を接続または切断するために両側で２つの固定接点に緊密に接触するかまたは分離する。
【０００８】
本考案の他の目的は、下記の強制分離機能を有する押圧スイッチ構造を提供することである。即ち、押圧スイッチは、前記２つの導電性ピラーの間に設置され、垂直方向に交互に配置された付属弾性機構をさらに含み、前記機構は、摺動部材に別々に接続された両端を有する収縮可能なばねを含み、前記２つの摺動部材は、前記収縮可能な引っ張りロッドの前記ブラケット・スタンドの間に収容され、前記円錐形部材の傾斜側が前記２つの摺動部材によって押されて締め付けられ、瞬間的に上方に移動するための運動エネルギーを生じ、前記２つの固定接点から前記２つの可動接点を分離するようにその内側から突出した一対の円錐形部材を有する。
【０００９】
本考案の他の目的は、下記の強制分離機能を有する押圧スイッチを提供することである。即ち、押圧スイッチは、固定装置をさらに含み、この装置は、フリップ・ボタンによって前記アクチュエータの可動端と軸線方向に連結され、その一方の側が前記アクチュエータの内壁で押された収縮可能なばねに接続され、他の端部は、下方に延びるボタン・フックを有し、前記フリップ・ボタンが回転されたとき、ボタンが収縮可能なばねを押し、他の側の前記ボタン・フックは、前記アクチュエータが前記上方ケーシングに掛けられ、後方にはねないように前記上方ケーシング上で垂直方向に配置される固定溝に深く延びている。
【課題を解決するための手段】
【００１０】
前記目的を達成するため、本考案の強制分離機能を有する押圧スイッチは、
中空であり、開放した上部を有する基台であって、電極装置の入力/出力端子を収容しかつ固定するための少なくとも１つの室を含み、前記各端子が固定接点およびその間に配置された一対の導電性ピラーを含んでいる基台と、
上部にプレス・ロッドを有し、中間部分から横方向に延びており、少なくとも１つのプレス端子と結合されているアクチュエータ、および前記端子の両側に別々に配置されており、前記２つの固定接点に対応している可動な接点を有する収縮可能な引っ張りロッドであって、当該収縮可能な引っ張りロッドおよびプレス端子は、上昇するために一対の導電性ピラーに連結されていることからなる収縮可能な引っ張りロッドと、
前記基台をカバーし、密封し、上方から延びているプレス・ロッドおよび端部に配置されている支持軸部分を有する上方ケーシングと、
前記支持軸部分に軸線方向に連結された端部と前記プレス・ロッドに連結された内壁とを有するアクチュエータと、前記上方ケーシングと前記アクチュエータとの間に配置された弾性ばねとを有し、
前記アクチュエータが前記弾性ばねを圧縮するように押す場合、前記収縮可能な引っ張りロッドおよびそのプレス端子が前記２つの可動接点が両側で前記入力/出力端子の前記固定接点と接触し、電源と電気的に接続するまで下方に移動し、前記アクチュエータが解放される場合、前記弾性ばねの延長部が前記収縮可能な引っ張りロッドおよびそのプレス端子を上昇させ、前記２つの可動な接点は、前記入力/出力端子の前記固定接点から強制分離させられ、電源を切断することからなる。
又、前記入力端子は、ワイヤ導電基台に連結されたその外側と、横方向に配置されたワイヤ穴とを有し、接続部材が、外部電源に接続するための前記ワイヤ穴に垂直方向に相互接続された接続穴を貫通し、前記出力端子の外側に配置された接続部分が、前記基台から延びており、前記室の底部の溝に配置された弾性部材を押すために垂直方向から延びている押圧部分を有することが好適である。
又、前記収縮可能な引っ張りロッドの前記アクチュエータおよび前記ブラケット・スタンドの底部は、空隙を含み、テノン部分がプレス端子の前記ブラケット溝を押し連結するために前記ブラケット・スタンドの上部に配置され、前記空隙およびテノン部分は、前記プレス端子に対応する位置に配置されたリブ溝を係止するためのリブを含むことが好適である。
又、前記プレス端子の外側と前記導電性ピラーとの間に配置された弧状ブラケットと、垂直移動によりその動作を変化する前記弧状ブラケットの可動端部とを有し、前記収縮可能な引っ張りロッドおよび前記プレス端子が臨界点を通過した後、前記曲率が、押圧力および弾性力を生じるために変化され、前記各可動接点は、電源を接続または切断するために両側で前記固定接点に緊密に接触するかまたは分離することが好適である。
又、前記導電性ピラーは、該導電性ピラーの上部に埋め込まれた金属固定プレートを含み、前記金属固定プレートおよび前記プレス端子の外側は、前記弧状ブラケットの両側から突出している前記テノン部分と係止するように固定溝を含むことが好適である。
又、前記２つの導電性ピラーの間に設置され、垂直方向に交互に配置された付属弾性機構を含み、前記機構は、前記収縮可能な引っ張りロッドの両端に別々に配置された摺動部材に連結され、前記２つの摺動部材は、前記収縮可能な引っ張りロッドの前記ブラケット・スタンドの間に収容され、前記円錐形部材の傾斜側が前記２つの摺動部材によって押され、瞬間的に上方に移動するための運動エネルギーを生じ、前記２つの固定接点から前記２つの可動接点を分離する補助とするようにその内側から突出している一対の円錐形部材を有することが好適である。
又、前記ブラケット・スタンドは、前記ブラケット・スタンドの内縁に埋め込まれた金属固定スタンドを含み、前記付属弾性機構は、前記収縮可能なばねおよび前記２つの摺動部材のための活動空隙を画定するための密封カバーを有する前記室に連結されていることが好適である。
又、前記上方ケーシングは、その上に配置され、防塵カバーによってカバーされた貫通穴を含み、前記防塵カバーは、前記収縮可能な引っ張りロッドを延長するための穴を含むことが好適である。
又、前記アクチュエータは、前記アクチュエータの内壁に配置され、前記プレス・ロッドの上方のスロットに収容されたハンドル・フックを含むことが好適である。
さらに、フリップ・ボタンによって前記アクチュエータの可動端と軸線方向に連結され、前記アクチュエータの内壁で延長されたばねを押す端部を有する係止装置と、他の端部から下方に延びるボタン・フックとを有し、前記フリップ・ボタンが回転されたとき、前記延長したばねが圧縮され、他端の前記ボタン・フックは、前記アクチュエータが前記上方ケーシングに掛けられ、後方にはねないように前記上方ケーシング上で垂直方向に配置される係止溝に深く延びていることが好適である。
【考案を実施するための最良の形態】
【００１１】
本考案は以下の説明および添付の図面を参照することにより、より完全に理解することができる。
図１から図４を参照すると、本考案の押圧スイッチは、基台１、収縮可能な引っ張りロッド２、上方ケーシング３およびアクチュエータ４を含む。
【００１２】
基台１は、中空の基台であり、基台は、開放された上部、および電極装置１２を収容し固定するための長手方向の横室１１を有する。室１２が隔壁１１１によって前方部分と後方部分に分割されるように図面に示されるような回路が画定される。しかしながら、本考案はこのような構成には限定されないが、同様に２つの平行な隔壁を使用することによって３相の電力制御スイッチを形成することができる。これは従来技術であり、したがって、ここでは説明しない。簡潔にするために、ここでは、説明のために一組のみの電極が使用される。前方部分で室１１の両端は、電極装置１２の入力端子１２１および出力端子１２２を収容し、それらを固定する。入力端子１２１および出力端子１２２の内側は、それらの対応する端部で固定接点１２１ａ、１２２ａを含み、一対の導電性ピラー１３が、収縮可能な引っ張りロッド２と結合するように入力端子１２１と出力端子１２２との間に垂直方向に配置される。収縮可能な引っ張りロッド２は、２つの導電性ピラー１３の間を垂直方向に移動することができる。
【００１３】
入力端子１２１の外側にワイヤ案内基台１２１ｂが連結されており、電力ケーブルの露出端が横方向に配置されたワイヤ穴１２１ｃに挿入され、ねじ等の連結部材１２１ｅがワイヤ穴１２１を貫通され、露出端がワイヤ案内基台１２１ｂに固定されて外部電源の電力が入力端１２１に供給されるように露出端を押すために、連結穴１２１ｄに垂直方向に連結される。出力端子１２２の外側の連結部分１２２ｂが、工具機械内の電力ケーブルの端子が迅速に連結されることを容易にするために、基台１の外側に延長される。さらに、出力端子１２２が垂直方向に沿って弾性的な移動性を有するように、室１１の底部の溝内で三角形の弾性部材１２２ｄを押すために垂直方向に延長されたＬ形状の押圧部分１２２ｃを出力端子１２２は有する。
【００１４】
収縮可能な引っ張りロッド２は、上部に押圧ロッド２１と、中間から横方向に延びるアクチュエータ２２と、その間の空隙２４を画定するために底部にｎ形状のブラケット・スタンド２３とを有する。テノン部分２４１（図面には示されていない）がプレス端子２５の長いブラケット溝２５１を貫通し、連結するように空隙２４内のブラケット・スタンド２３の上部から突出している。プレス端子２５の両端は、前述した固定接点１２１ａ、１２２ａに接触しそこから分離されるようにプレス端子２５の両端から下方に突出している可動な接点２５２を含む。プレス端子２５が両側に向かって移動しないように、空隙２４およびテノン部分２４１は、プレス端子２５が側方に移動することができないようにプレス端子２５１のリブ溝２５３と固定されるリブ２４２を含む。
【００１５】
図面において、リブ溝２５３は、プレス端子２５の縁部および/またはブラケット溝２５１の内側の中間部分に配置されている。アクチュエータ２２は、導電性ピラー１３の対応する部分で凹形状の導電性溝２２１を形成し、したがって、２つの導電性溝２２１およびブラケット溝２５１は、収縮可能な引っ張りロッド２を導電性ピラー１３に容易に連結し、収縮可能な引っ張りロッドをうまく移動するために中空を画定する。収縮可能な引っ張りロッド２を移動する過程の間、臨界点で下方に押圧力および弾性力を自動的に形成する作動を提供するためにプレス端子２５の外側と導電性ピラー１３との間に弧状のブラケット２６が設置されている。図２を参照すると、収縮可能な引っ張りロッド２に力が加えられない場合は、弧状のブラケット２６の可動端部（プレス端子２５の外側）が、その固定端部（導電性ピラーの上部）よりわずかに高く、弧状ブラケット２６の極率はより小さい。図３および図４を参照すると、力が収縮可能な引っ張りロッド２に加えられ、プレス端子２５を下方に移動させ、臨界点を通過する場合、弧状ブラケット２６は、変形によってより大きい曲率を有し、プレス端子２６に圧力を加えて、下方の弾性力を形成する。この時までに、弧状ブラケット２６の可動端は、固定端よりわずかに低くなり、その結果、プレス端子２５の両側の可動接点２５２は、電源に弾性的に接触するように入力端子１２１と出力端子１２２の固定接点１２１ａ、１２１ｂを別々に緊密に押す。導電性ピラー１３の上部の強度および剛性を改良するために、金属固定プレートが導電性ピラー１３の上に設置され、ウイングプレート２５４がプレス端子２５の外側に向かって斜めに配置され、双方が、その接続線を固定するために弧状ブラケット２６の両側から突出している固定部分２６１を固定するための固定溝を有する。
【００１６】
図１および図５を参照すると、本考案は、２つの導電性ピラー１３の間に垂直方向および交互に配置された付属弾性機構１４を含み、機構１４は、収縮可能なばね１４１の両端に連結されている摺動部材１４２を含み、付属弾性機構１４は、収縮可能なばね１４１と２つの摺動部材１４２との間に活動空間を画定するために密封カバー１４３によって室１１に連結されている。２つの摺動部材１４２は、ブラケット・スタンド２３の間に収容されており、収縮可能な引っ張りロッド２が押されるとき、円錐形部材２３１の底部が摺動部材１４２を押してブラケット・スタンド２３の底部が室１１の底部に接触するまでばね１４１を圧縮するように、円錐形部材２３１がブラケット・スタンド２３の内側から突出している。ばね１４１が引っ張られるとき、摺動部材１４２は、円錐形部材２３１の上部に残る。しかしながら、収縮可能なばね２が弾性ばね３５によって引っ張られ、上方に移動するとき、円錐形部材２３１の傾斜側が、２つの摺動部材１４２によって押され、瞬間的に上方に移動するための運動エネルギーを生成し、これにより、２つの固定接点１２１ａ、１２２ａから２つの可動な接点２５２の分離を容易にし、接点は容易には溶解しない。さらに、金属固定スタンド２７は、ブラケット・スタンド２３の強度および剛性を改良するために収縮可能な引っ張りロッド２のブラケット・スタンド２３に埋め込むことができる。
【００１７】
上方ケーシング３は、基台１をカバーし、それを密封している。例えば、フック１５および固定溝３１は上方ケーシング３と基台１とを連結するために設けられているが、本考案はこのような構成には限定されない。上方ケーシング３は、収縮可能な引っ張りロッド２を延長するために収縮可能な引っ張りロッド２の上部に対応して配置された貫通穴３２を含む。基台１にごみが入ることを防止するために防塵カバー３３が、貫通穴３２をカバーしている。また、防塵カバー３３は、ごみによって生じる回路の短絡を防止するために、収縮可能な引っ張りロッド２を延長するための穴を有する。支持軸部分３４が上方ケーシング３の端部から突出しており、アクチュエータ４に軸線方向に連結している。アクチュエータ４が使用されていないとき、アクチュエータ４が外側に延びるように、上方ケーシング４３とアクチュエータ４との間に配置された位置決めテノン部分３６，４３に弾性ばね３５が設置されている。
【００１８】
アクチュエータ４は、長いハンドルであり、一端の軸線穴４１が、支持軸３４に軸線方向に連結されており、ハンドル・フック部分４２は、プレス・ロッド２１の上部でスロット２１１に対応する位置に配置され、一緒に掛けられている。スロット２１１の高さは、ハンドル・フック部分４２よりわずかに高く、その結果、空隙がスロット２１１とハンドル・フック部分４２との間に形成されている。図２において、ハンドル・フック部分４２は、アクチュエータ４が作動していないとき、スロット２１１の上方縁部に掛かっており、その結果、収縮可能な引っ張りロッド２全体が、アクチュエータ４の伸張によって持ち上げられる。図３において、アクチュエータ４は、押されて空隙を移動させ、スロット２１１の下方縁部を押す。この時までに、収縮可能な引っ張りロッド２も、押されて下方に移動する。
【００１９】
スイッチの長い間の使用を考慮に入れるが、さらに本考案は、フリップ・ボタン５１によってアクチュエータ４の可動端を軸線方向に連結するための固定装置５を含み、アクチュエータ４の内壁で固定装置５の一端は、延長されたばね５２を押し、フックボタン５３が他の側から下方に延長される。フリップ・ボタン５１が回転されると、延長されたばね５２が圧縮され、他端のボタン・フック５３は、上方ケーシング３の上に垂直方向に配置された固定溝３６内に深く延長され、アクチュエータ４は、上方ケーシング３に掛けられるので、後方にはねず、したがって押圧スイッチは、電気的な連結を維持している。前述した部分の原理の説明および分析によって本考案の組み立てによって確立された空隙の形状が図６に示されている。
【００２０】
図２および図３を参照すると、作動のためにアクチュエータ４が押され、その結果、収縮可能な引っ張りロッドが下方に移動し、２つの弧状ブラケット２６が可動な端部の垂直方向の移動による動作を変化させる。それが臨界点を超えた後、曲率は、押圧力および弾性力を生成するように変化することとなり、その結果、各可動な接点２５２は、電源を接続または切断するように固定接点１２１ａ、１２２ａに緊密に接触するか、または分離される。他方の端部で、アクチュエータ４は、スイッチが使用されていないときに解放され、弾性ばね３５の延長は、アクチュエータ４を駆動し、電源を分離するように収縮可能な引っ張りロッド２全体を上昇させる。
【００２１】
可動な接点が電源に弾性的に接続するために収縮可能な引っ張りロッドの下でプレス端子の両端に配置されるので、２つの可動な接点は、入力/出力端子の固定接点に接触していなければならない。任意の一組の可動な端子および固定端子が溶融する場合、予期される強制分離効果を生成するために弾性ばねの延長によって、収縮可能な引っ張りロッドおよびプレス端子によって他の組の可動な端子および固定端子を持ち上げることができる。さらに、２つの対応する弧状ブラケットは、収縮可能な引っ張りロッドおよびプレス端子が臨界点を超えた後、曲率が押圧力および弾性力を生成するために変化されるように、可動な端部の垂直方向の移動によってそれらの作動を変化させる。その結果、可動な接点は、電源に接続するか、または切断するように両側に固定接点に緊密に接触するか、または分離されることができる。さらに本考案は、固定接点から可動な接点の分離を容易にするために運動エネルギーを提供するための付属弾性機構を含む。さらに本考案は、押圧スイッチを弾性的に接続し続けるための係止装置を含む。このような構成は、押圧スイッチの革新的な前進である。
【００２２】
本考案を、例として好ましい実施形態に関して説明したが、本考案はそれに限定されるべきではないことを理解すべきである。それに対し、種々の変形および同様な構成および手順をカバーすることが意図されており、したがって、添付した実用新案登録請求の範囲は、このような変形形態および同様な構成および手順全てを包含するように広範に解釈すべきである。
【００２３】
本考案の技術的な特徴を開示するために、次の図面が説明のために提供される。
【図面の簡単な説明】
【００２４】
【図１】本考案の押圧スイッチの斜視図である。
【図２】本考案の切断スイッチの断面図である。
【図３】本考案の接続スイッチの他の断面図である。
【図４】本考案の基台の拡大断面図および収縮可能な引っ張りロッドの拡大断面図である。
【図５】本考案の基台および収縮可能な引っ張りロッドの他の拡大断面図である。
【図６】本考案の斜視図である。
【符号の説明】
【００２５】
１  基台
１１  室
１２  電極装置
１３  ピラー
２１  プレス・ロッド
２５  プレス端子
１１１  隔壁
１２１  入力端子
１２２  出力端子
【図１】
0003115859.tif 000003
【図２】
0003115859.tif 000004
【図３】
0003115859.tif 000005
【図４】
0003115859.tif 000006
【図５】
0003115859.tif 000007
【図６】
0003115859.tif 000008